(57)【特許請求の範囲】
【請求項１】
男性用機能性パンツにおいて、
男性の陰茎（１０）が分離収納されるように上記陰茎（１０）が挿入される陰茎開口部（２００）が中央部分に形成された第２裏地部材（５００）、
上記第２裏地部材（５００）前面に結合され、中央の対称線（３０１）を中心に左右切断部（２０３）を折った後結合部（１９０）に結合すれば、上記陰茎（１０）の収納部通過が容易なように第１湾曲部（１６１）と第２湾曲部（１６２）が生成され、第３湾曲部（１６３）が互いにつながっていて各々の湾曲部が一つの袋形態に形成され、陰茎収納部（３００）と陰嚢収納部（３１０）が一つの空間に生成される収納部材（３３０）、及び
上記収納部材（３３０）の左・右の結合部（１９０）に結合され、前面部を形成する前面部材（１２０）、及び
上記前面部材（１２０）の左・右の結合部（１９０）に結合され、後面部を形成する後面部材（１１０）、及び
上記前面部材（１２０）の下端は、上記後面部材（１１０）の下端と結合部（１９０）に結合され、上記前面部中央部分に位置した収納部材（３３０）の内側に結合される、上記第２裏地部材（５００）は、上記収納部材（３３０）より長さが短く裁断され、これにより上記後面部材（１１０）と上記第２裏地部材（５００）の間に生成される陰嚢開口部（２１０）を含む男性用機能性パンツ。
【請求項２】
上記収納部材（３３０）と上記第２裏地部材（５００）の間に挿入され、
上記第２裏地部材（５００）の長さと同じで、陰茎（１０）が上記収納部材（３３０）に挿入が容易なように、中央上端の左・右切断部（２０３）は対称線（３０１）を中心に折った後結合部（１９０）に結合すれば第１湾曲部（１６１）と第２湾曲部（１６２）が形成された中間部材（１４１）をさらに含む、請求項１に記載の男性用機能性パンツ。
【請求項３】
上記第２裏地部材（５００）は、裏地部材（１４０）より長さが短く、上記陰茎開口部（２００）下端に形成される分離膜（１７０）をさらに含む、請求項１に記載の男性用機能性パンツ。
【請求項４】
一側が上記収納部材（３３０）を含む上記前面部材（１２０）の下端部と結合され、一側は上記後面部材（１１０）下端部に結合される下面部材（１４２）、及び
上記収納部材（３３０）の内側に結合された第２裏地部材（５００）の下端部と上記下面部材（１４２）の間に形成される上記陰嚢開口部（２１０）をさらに含む、請求項１に記載の男性用機能性パンツ。
【発明の詳細な説明】
【技術分野】
【０００１】
本発明は男性用機能性パンツに関する。特にパンツを履く際、物理的な力による分離なしに自然に陰茎と陰嚢が各々独立した空間に分離して収納される男性用機能性パンツに関するものである。
【背景技術】
【０００２】
最近の男性の性機能とホルモンの分泌、精子の生産と活動性等に関する多くの研究によれば、多くのマスコミに公知されているように、気温の変化による人体の変化とともに男性の性機能も変化がもたらされている。
【０００３】
人体は、体温を正常に維持しようとする恒常性作用をしており、男性の陰嚢もこれと同じく大気の気温に伴って体温が下がれば縮み、体温が上がれば大きくなるが、これは陰嚢の温度を一定に維持しようとする恒常性の結果である。
【０００４】
しかし、最近、気温の変化と体温によって睾丸の温度が上がって熱を放出しようとすると、陰嚢は体積を広げようと大きくならなければならないのに、大きくなる空間は不足し、両ももに挟まり、その上に陰茎まで下に押されるようになって、結局汗を流すようになるが、汗さえも陰嚢が皮膚に接していてその感じが不快であり、汗が蒸発せずに睾丸の温度が上がるようになるため、我知らず習慣的に陰嚢を手で持ち上げて陰嚢の汗を除去しようとする。
【０００５】
このような習性は、結局睾丸の温度を適正温度に維持して性機能が低下することを防ごうとする極めて自然な無意識の行動である。
【０００６】
しかし、従来技術による発明は、陰茎が適当に勃起した状態ではへその下の丹田部位に向かうように支える役割を充分に行うことができるが、陰茎と陰嚢を強制で分離することにより、パンツの着用時、激しい運動や動きの多い動作によって左右に片寄ったり股の方に陰茎が下ってくる問題点が発生した。
【０００７】
特に蒸し暑い所で上のような現象はより多く現われるが、これに伴い分離と収納が自然で、睾丸の温度を下げることができる人体工学的なデザインの男性用機能性パンツが要求されていた。
【発明の概要】
【発明が解決しようとする課題】
【０００８】
本発明が解決しようとする課題は、陰嚢と陰茎が他の手段や規制によって強制収納されず、パンツを履きながら自然に分離収納され、激しい運動や日常生活で陰茎の大きさが膨脹したり収縮しても、陰嚢と陰茎が、常に分離と収納が自然になされる男性用機能性パンツを提供することである。
【課題を解決するための手段】
【０００９】
上記問題点を解決するための本発明の第１実施例による特徴によれば
男性用機能性パンツ１００は、裏地部材１４０の中央に丸みある三角形の陰茎開口部２００と、
三日月形の陰嚢開口部２１０が第１切断部２０１と第２切断部２０２によって生成された裏地部材１４０の前に、陰茎収納部３００と陰嚢収納部３１０が含まれた収納部材３３０を接合縫製した裏地部材１４０を前面部材１２０と接合縫製し、
裏地部材１４０が接合された前面部材１２０を後面部材１１０と接合縫製したことを特徴とする。
【００１０】
本発明の男性用機能性パンツは、望ましい第１実施例で、陰茎１０と陰嚢２０が他の強制手段によって収納されず、パンツを履きながら自然に陰茎開口部２００と陰嚢開口部２１０に分離され、収納部材３３０によって保護されるため、快適な着用感を感じることができる特徴がある。
【００１１】
望ましい第１実施例で陰茎開口部２００と陰嚢開口部２１０の間にある分離膜１７０は、陰茎１０が膨脹したときや収縮したときも陰嚢２０と分離し、過激な運動によって体温が上がって汗が出るときも、汗の吸収と排出が卓越な機能性部材を使用した裏地部材１４０によって円滑な汗の吸収と排出を助けて、陰嚢の温度を最適化させることができる特徴がある。
【００１２】
望ましい第１実施例で丸みある三角形の陰茎開口部２００は、陰茎が収縮によって左・右に片寄っても裏地部材１４０内に入って来ないようにして、陰茎１０と陰嚢２０の重なる部分１１を分離膜１７０で分離してくれるため、常に汗がなくさらさらの状態を維持することができる特徴がある。
【００１３】
望ましい第２実施例で、男性用機能性パンツ１００は、男性の陰茎１０が自然に分離収納されるように、陰茎１０が挿入される陰茎開口部２００が中央部分に形成された第２裏地部材５００を含む。
【００１４】
第２裏地部材５００の前面に結合され、中央の対称線３０１を中心に左・右切断部２０３を折った後に結合部１９０に結合すると、陰茎１０の収納部通過が容易なように第１湾曲部１６１と第２湾曲部１６２が生成され、第３湾曲部１６３が互いにつながっていて各々の湾曲部が一つの袋形態に形成され、陰茎収納部３００と陰嚢収納部３１０が一つの空間に生成される収納部材３３０、及び
そして収納部材３３０の左・右の結合部１９０に結合され、パンツの前面を形成する前面部材１２０と、
前面部材１２０の左・右の結合部１９０に結合され、パンツの後面を形成する後面部材１１０を含む。
【００１５】
また、前面部材１２０の下端は後面部材１１０の下端と結合部１９０に結合され、前面部材１２０の中央に位置して収納部材３３０の内側の結合部１９０に結合されている第２裏地部材５００は、収納部材３３０より長さが短く裁断されて、後面部材１１０と第２裏地部材５００の間に生成される陰嚢開口部２１０を含む。
【００１６】
望ましい第３実施例で、男性用機能性無縫製パンツ８００は、
男性の陰茎１０と陰嚢２０が各々分離するように前面部の陰茎１０位置部分に形成された陰茎開口部２００と、陰茎開口部２００の下端部に形成される無縫製分離膜８１０と、無縫製分離膜８１０下端部の陰嚢２０位置部分に形成される陰嚢開口部２１０を一つの生地に含む男性用機能性無縫製パンツ等、第１、第２、第３実施例による課題解決手段がある。
【発明の効果】
【００１７】
本発明によれば、次のような効果を期待することができる。
【００１８】
本発明の収納部材３３０は開口部が生成された裏地部材１４０と接合縫製され、前面部材１２０と後面部材１１０が接合縫製されて形成された男性用機能性パンツを着用時に、
（１）陰嚢と陰茎は各々の空間に自由に収納されるため通気性を確保することができ、収納空間が分離されて陰嚢の温度を下げることができるため陰茎下部と陰嚢下部に汗がたまらず悪臭がせず、あせものような皮膚疾患や各種細菌の棲息を防止して、衛生状態を持続的に良好に維持することができる。
【００１９】
（２）激しい運動や登山、または日常的に活動する時も、陰嚢と陰茎が分離収納されるため、陰嚢の温度は一定の温度を維持することができ、これにより睾丸の高い温度によって性機能障害による男性不妊の原因を未然に予防することができる。
【００２０】
（３）陰茎と陰嚢の形態に沿って立体パターンで裁断及び縫製されているため、着用時に楽な着用感を感じることができ、独立空間が余裕があり、強制的な手段によって収納がなされず自然にパンツを履きながら陰茎と陰嚢が別々に分離収納される便利性がある。
【００２１】
（４）収納部材３３０による収納空間が十分に大きく、歩いたり運動して走る時に、つまり、足が動く時は収納空間も一緒に動くため、ズボンの内側の収納空間の動きによって空気の流動が発生し、小さな風が起きて陰嚢の温度と湿度を下げる効果がある。
【００２２】
（５）上記のような効果に加えて、産業生産性が容易なようにしたデザインで、結合を容易にして産業生産性を高めることができる特徴がある。
【００２３】
（６）このような特徴は、一般生地を使用しても同じ効果を出すことができるため、高級生地の使用による原価上昇を予防する効果がある。
【図面の簡単な説明】
【００２４】
【図１】本発明の第１実施例に係る男性用機能性パンツの使用状態と機能部を具体的に示した図である。
【図２】本発明の第１実施例に係る男性用機能性パンツの収納部材と分離した裏地部材の開口部を示した図である。
【図３】本発明の第１実施例に係る男性用機能性パンツの陰茎が膨脹、収縮し収納部材が分離した開口部の機能を示した図である。
【図４】本発明の第１実施例に係る男性用機能性パンツのひだ部によって収納部材の生成過程を概略的に示した図である。
【図５】本発明の第１実施例に係る男性用機能性パンツを多様な裁断で変形した収納部材を示した図である。
【図６】本発明の望ましい第２実施例に係る男性用機能性パンツの分解図である。
【図７】本発明の望ましい第２実施例に係る男性用機能性パンツの結合図である。
【図８】本発明の望ましい第２実施例に係る収納部材が分離した状態で裏地部材とパンツの結合図である。
【図９】本発明の望ましい第２実施例に係るパンツの両脇を切断して前面部材と後面部材の下端が結合された状態で外に広げた展開図である。
【図１０】本発明の望ましい第２実施例に係るパンツの両脇を切断して前面部材と後面部材の間に下面部材が結合された状態で外に広げた展開図である。
【図１１】本発明の第２実施例に係る中間部材の形成図である。
【図１２】本発明の第２実施例に係る収納部材の形成図である。
【図１３】本発明の他の実施例による、収納部材が切断部の変形によって多様な形に変形される形態を示した図である。
【図１４】本発明の望ましい第３実施例に係る男性用機能性無縫製（Ｓｅａｍｌｅｓｓ：縫目がない）パンツの分解図である。
【発明を実施するための形態】
【００２５】
本発明の望ましい第２実施例によれば、
図６ないし図１２に示されたように、本発明の望ましい第２実施例に係る男性用機能性パンツ１００は、男性の陰茎１０が自然に分離収納されるように陰茎１０が挿入される陰茎開口部２００が中央部分に形成された第２裏地部材５００を含む。
【００２６】
（上記裏地部材１４０と第２裏地部材５００の符号が異なるが、これは第２実施例の構成における特徴として裏地部材内に形成される陰茎開口部２００のみ含むか、陰茎開口部２００と分離膜１７０のみ含んだ第２裏地部材５００の長さが、第１実施例の陰茎開口部２００、分離膜１７０、陰嚢開口部２１０を全て含んだ裏地部材１４０より長さが短く構成が異なるため符号が異なるのである。）
【００２７】
また、図７、図１２を参照すれば、上記第２裏地部材５００前面に結合され、中央の対称線３０１を中心に左右切断部２０３を折った後、結合部１９０に結合すれば、上記陰茎１０の収納部通過が容易なように第１湾曲部１６１と第２湾曲部１６２が生成され、第３湾曲部１６３が互いにつながっていて各々の湾曲部が一つの袋形態に形成され、陰茎収納部３００と陰嚢収納部３１０が一つの空間に生成される収納部材３３０、及び
そして収納部材３３０の左・右の結合部１９０に結合され、パンツの前面を形成する前面部材１２０と、前面部材１２０の左・右の結合部１９０に結合され、パンツの後面を形成する後面部材１１０を含む。
【００２８】
また、図９を参照すれば、前面部材１２０の下端は後面部材１１０の下端と結合部１９０に結合され、前面部材１２０の中央に位置して収納部材３３０の内側の結合部１９０に結合されている第２裏地部材５００は、収納部材３３０より長さが短く裁断されて、後面部材１１０と第２裏地部材５００の間に生成される陰嚢開口部２１０を含む。
【００２９】
そして、図６及び図１１を参照すれば、収納部材３３０と第２裏地部材５００の間に挿入される中間部材１４１は、第２裏地部材５００の長さと同じで、陰茎１０が収納部材３３０に挿入が容易なように中央上端の左・右切断部２０３は対称線３０１を中心に折った後に結合部１９０に結合すれば第１湾曲部１６１と第２湾曲部１６２が形成された中間部材１４１をさらに含む。
【００３０】
また、図８のＡ、Ｂを参照すれば、第２裏地部材５００は陰茎開口部２００下端に形成される分離膜１７０をさらに含むことができる。
【００３１】
そして、図１０を参照すれば、下面部材１４２は、一側が収納部材３３０を含んだ前面部材１２０下端部の結合部１９０に結合され、
一側は後面部材１１０の下端部と結合部１９０に結合される下面部材１４２と、第２裏地部材５００の下端部の間に陰嚢開口部２１０が生成される下面部材１４２をさらに含む男性用機能性パンツであって、
収納部材３３０より長さが短く陰茎開口部２００が形成された第２裏地部材５００と、第２裏地部材５００に形成された陰茎開口部２００下端に生成された分離膜１７０と収納部材３３０、中間部材１４１と、そして前面部材１２０と下面部材１４２の間に生成された陰嚢開口部２１０の構成を除き図１から図１０までの図面を参照して説明された第１実施例と同一である。
【００３２】
したがって、第１実施例や第３実施例と同一な機能を行う構成要素については同一な参照符号を併記し、同一の機能であるが互いに異なる構成に含まれた実施によって形成されれば、異なる参照符号を記載（１７０；分離膜は、８１０；無縫製陰茎分離膜と異なって表記する）し、詳細な説明は省略して簡単に説明する。
【００３３】
本発明の第２実施例に係る作用は、本発明の第１実施例や第３実施例と同一であり、効果は次のとおりである。
【００３４】
裏地部材１４０に生成されていた陰嚢開口部２１０は、後面部材１１０か下面部材１４２のうちのいずれか一つと第２裏地部材５００の間で陰嚢開口部２１０が生成されるため、パンツ１００の生産速度をさらに早くして生産性を高めることができる効果がある。
【００３５】
中間部材１４１は、排尿後陰茎１０にくっついている一、二滴の残尿を吸収して蒸発させ、一重の収納部材３３０によって透ける陰茎１０のシルエットを隠すことができ、中間部材１４１の長さは裏地部材１４０より短く第２裏地部材５００と長さが同じであるため、陰嚢収納部３１０が一重になって陰嚢２０が熱を放出するのに容易な効果がある。
【００３６】
図１４は、本発明の望ましい第３実施例に係る男性用機能性無縫製（Ｓｅａｍｌｅｓｓ：縫目がない）パンツの分解図である。
【００３７】
本発明の望ましい第３実施例よれば、
図１４に示されたように男性用機能性無縫製パンツ８００において、
男性の陰茎１０と陰嚢２０が各々分離するように前面部の陰茎１０位置部分に形成された陰茎開口部２００と、陰茎開口部２００の下端部に形成される無縫製分離膜８１０と、無縫製分離膜８１０下端部の陰嚢２０位置部分に形成される陰嚢開口部２１０を一つの生地に含む男性用機能性無縫製パンツ８００、
また、男性用機能性無縫製パンツ８００は、陰嚢２０が分離するように前面部の陰嚢２０位置部分に陰嚢開口部２１０が一つの生地に形成されることを特徴とする男性用機能性無縫製パンツ。
【００３８】
また、陰茎開口部２００と陰嚢開口部２１０前面の結合部１９０に結合され、
陰茎開口部２００と陰嚢開口部２１０で分離された陰茎１０と陰嚢２０が収納されるように、上端部分に丸い形態の第１湾曲部１６１が形成され、中間部分に丸い形態の第２湾曲部１６２が形成されて、下端部分は袋形態に形成された第３湾曲部１６３が互いにつながっていて、一つの袋の形が一つの生地に形成された無縫製収納部材８２０をさらに含む男性用機能性無縫製パンツ８００である。
【００３９】
以下本発明の望ましい第１実施例を、添付された図面を参考して詳しく説明する。
明細書全体にわたって同一の参照符号は同一の構成要素を指す。
【００４０】
本発明の望ましい第１実施例に係る男性用機能性パンツの核心技術的構成は、裏地部材１４０、陰茎開口部２００、陰嚢開口部２１０、分離膜１７０、前面部材１２０、陰茎収納部３００、陰嚢収納部３１０、第１切断部２０１、第２切断部２０２、切断部２０３、収納部材３３０、後面部材１１０、湾曲部１６１、１６２、１６３、ひだ部１５１、１５２、１５３を含む。
【００４１】
図１を参照すれば、本発明は収納部材３３０が付着した裏地部材１４０と前面部材１２０が裁縫線１３０によって接合縫製された後、後面部材１１０と接合縫製された男性用機能性パンツであって、
図２を参考すれば、裏地部材１４０は裏地部材１４０の中間部分に第１切断部２０１によって陰茎開口部２００が生成され、その下段に第２切断部２０２によって陰嚢開口部２１０が生成され、上記切断部２０１、２０２によって分離膜１７０が形成される。
【００４２】
図４を参考して収納部材３３０を説明すれば、
収納部材３３０は裏地部材１４０前面に裁縫線１３０で接合縫製されて
第１ひだ部１５１を作ってＡとＢ地点の間に第１湾曲部１６１が形成され、
第２ひだ部１５２を作ってＣとＤ地点の間に第２湾曲部１６２が形成されて陰茎収納部３００が生成され、
第３ひだ部１５３を作ってＥとＣ地点とＦとＤ地点に第３湾曲部１６３によって袋形態の陰嚢収納部３１０が生成される。
【００４３】
この際、収納部材３３０のひだ部１５１、１５２、１５３は、裁縫線によってあらかじめ縫製した後、裏地部材１４０の前面に接合縫製することができる。
【００４４】
また図５を参考すれば、収納部材３３０は裁断によって変形された収納部材３３０であって、その切断部２０３をみれば一定の曲率値を有するが、これは陰嚢の特性上、陰茎収納部３００の第１湾曲部１６１と第２湾曲部１６２より、陰嚢収納部３１０の第３湾曲部１６３が多少大きく形成されることは、袋形態として陰嚢を収納するのに十分な大きさを形成するためのものである。
【００４５】
上記形成された収納部材３３０を裏地部材１４０に接合縫製すれば、収納部材３３０が付着した裏地部材１４０が生成される。
【００４６】
本発明の望ましい第１実施例に係る構成要素を詳察した。
この構成要素を土台として、その各々の機能による作用を具体的に詳察する。
【００４７】
図１から図３までを参照すれば、裏地部材１４０の陰茎開口部２００は、分離膜１７０の位置が陰茎１０が収縮して下に下りているとき、陰嚢２０と重なる部分１１に楽に異物感なしに位置して分離膜１７０の下端部が陰嚢２０の上部に軽くかかっていることが望ましい。
【００４８】
陰嚢開口部２１０下端の重なる部分１２は、陰嚢２０が収縮しているとき、陰嚢２０と股を隔離する自然な位置にあることが望ましい。
【００４９】
裏地部材１４０の素材は、汗の吸収と蒸発が容易な機能性部材が望ましく、陰茎１０と陰嚢２０の重なる部分１１、１２がぴっちり引っ張られていないでいてこそ、円滑な血液循環を助けることができる。
【００５０】
本発明の収納部材３３０は、陰茎収納部３００と陰嚢収納部３１０に隔離されておらず、一つの機能性部材で連結されている。収納部材３３０と裏地部材１４０としては、大衆に広く公知されている汗の吸収と蒸発が綿に比べて早い機能性部材であれば十分である。
【００５１】
機能性部材の生地としては、製造会社によって異なるブランドが多く市販されているが、クールマックス生地、クールロン生地、テンセル生地、麻、大麻布、スパンデックス生地やその素材を一定比率で入れて製織した生地を使用するのが汗の吸収と蒸発がよく陰嚢の温度を下げるのにさらに望ましい。
【００５２】
図３を参照すれば、裏地部材１４０に形成された陰茎開口部２００の形は、角がない丸みある三角形で、陰嚢開口部２１０の形は三日月形で、分離膜１７０の中央部分の高さは約３〜４ｃｍ程度が望ましい。
【００５３】
また陰茎開口部２００や陰嚢開口部２１０の形と大きさは、多様に裁断が可能である。実例として、陰茎開口部２００の形は縦の長方形、縦の楕円形、逆三角形、円形等で、大きさも多様な大きさへの変形が可能であり、陰嚢開口部２１０の形も横の長方形、楕円形、円形等への変形が可能であるが、開口部２００、２１０の形は、三角形と三日月形が、裏地部材１４０が第１切断部２０１と第２切断部２０２による分離膜１７０の伸び（垂れ）が少なく最も望ましい。
【００５４】
図１と図３を参照すれば、上記裏地部材１４０に生成された陰茎開口部２００と陰嚢開口部２１０によって独立的に分離した陰茎１０と陰嚢２０は、膨脹や収縮時または激しい運動、登山などの動きが多い動作にかかわらず、独立的に分離しており、陰茎１０が下に収縮しても分離膜１７０によって陰嚢２０とくっ付かず、収納部材３３０によって陰嚢２０と股ともくっ付かず分離し、収納部材３３０の大きさもまた十分に大きく十分な通気性が確保されるため、汗と湿気と温度から陰茎１０と陰嚢２０を保護することができる。
【００５５】
これにより、従来の技術に比べて性機能をより改善させることができ、着用感を向上させると同時に、陰嚢の高温による男性不妊の原因を事前に予防することができる特徴がある男性用機能性パンツを提供する。
【００５６】
本発明の第１実施例に係る男性用機能性パンツ１００は、開口部２００、２１０が生成された裏地部材１４０に収納部材３３０を接合縫製し、前面部材１２０と後面部材１１０に順に接合縫製された男性用機能性パンツである。
【００５７】
本発明の望ましい第２実施例よれば、図６ないし図１２に示されたように、本発明の望ましい第２実施例に係る男性用機能性パンツ１００は、男性の陰茎１０が自然に分離収納されるように陰茎１０が挿入される陰茎開口部２００が中央部分に形成された第２裏地部材５００を含む。
【００５８】
（上記裏地部材１４０と第２裏地部材５００の符号が異なるが、これは第２実施例の構成における特徴として裏地部材中に形成される陰茎開口部２００のみ含むか、陰茎開口部２００と分離膜１７０のみ含んだ第２裏地部材５００の長さが、第１実施例の陰茎開口部２００、分離膜１７０、陰嚢開口部２１０を全て含んだ裏地部材１４０より長さが短く構成が異なるため符号が異なるのである。）
【００５９】
また、図７、図１２を参照すれば、上記第２裏地部材５００前面に結合され、中央の対称線３０１を中心に左右切断部２０３を折った後、結合部１９０に結合すれば、上記陰茎１０の収納部通過が容易なように第１湾曲部１６１と第２湾曲部１６２が生成され、第３湾曲部１６３が互いにつながっていて各々の湾曲部が一つの袋形態に形成され、陰茎収納部３００と陰嚢収納部３１０が一つの空間に生成される収納部材３３０、及び
そして収納部材３３０の左・右の結合部１９０に結合され、パンツの前面を形成する前面部材１２０と、前面部材１２０の左・右の結合部１９０に結合され、パンツの後面を形成する後面部材１１０を含む。
【００６０】
また、図９を参照すれば、前面部材１２０の下端は後面部材１１０の下端と結合部１９０に結合され、前面部材１２０の中央に位置して収納部材３３０の内側の結合部１９０に結合されている第２裏地部材５００は、収納部材３３０より長さが短く裁断されて、後面部材１１０と第２裏地部材５００の間に生成される陰嚢開口部２１０を含む。
【００６１】
そして、図６及び図１１を参照すれば、収納部材３３０と第２裏地部材５００の間に挿入される中間部材１４１は、第２裏地部材５００の長さと同じで、陰茎１０が収納部材３３０に挿入が容易なように中央上端の左・右切断部２０３は対称線３０１を中心に折った後に結合部１９０に結合すれば第１湾曲部１６１と第２湾曲部１６２が形成された中間部材１４１をさらに含む。
【００６２】
また、図８のＡ、Ｂを参照すれば、第２裏地部材５００は陰茎開口部２００下端に形成される分離膜１７０をさらに含むことができる。
【００６３】
そして、図１０を参照すれば、下面部材１４２は、一側が収納部材３３０を含んだ前面部材１２０下端部の結合部１９０に結合され、
一側は後面部材１１０の下端部と結合部１９０に結合される下面部材１４２と、第２裏地部材５００の下端部の間に陰嚢開口部２１０が生成される下面部材１４２をさらに含む男性用機能性パンツであって、
収納部材３３０より長さが短く陰茎開口部２００が形成された第２裏地部材５００と、第２裏地部材５００に形成された陰茎開口部２００下端に生成された分離膜１７０と収納部材３３０、中間部材１４１と、そして前面部材１２０と下面部材１４２の間に生成された陰嚢開口部２１０の構成を除き図１から図１０までの図面を参照して説明された第１実施例と同一である。
【００６４】
したがって、第１実施例や第３実施例と同一な機能を行う構成要素については同一な参照符号を併記し、同一の機能であるが互いに異なる構成に含まれた実施によって形成されれば、異なる参照符号を記載（１７０；分離膜は、８１０；無縫製陰茎分離膜と異なって表記する）し、詳細な説明は省略して簡単に説明する。
【００６５】
本発明の第２実施例に係る作用は、本発明の第１実施例や第３実施例と同一であり、
効果は次のとおりである。
【００６６】
裏地部材１４０に生成されていた陰嚢開口部２１０は、後面部材１１０か下面部材１４２のうちのいずれか一つと第２裏地部材５００の間で陰嚢開口部２１０が生成されるため、パンツ１００の生産速度をさらに早くして生産性を高めることができる効果がある。
【００６７】
中間部材１４１は、排尿後陰茎１０にくっついている一、二滴の残尿を吸収して蒸発させ、一重の収納部材３３０によって透ける陰茎１０のシルエットを隠すことができ、中間部材１４１の長さは裏地部材１４０より短く第２裏地部材５００と長さが同じであるため、陰嚢収納部３１０が一重になって陰嚢２０が熱を放出するのに容易な効果がある。
【００６８】
図１４は、本発明の望ましい第３実施例に係る男性用機能性無縫製（Ｓｅａｍｌｅｓｓ：縫目がない）パンツの分解図である。
【００６９】
本発明の望ましい第３実施例よれば、
図１４に示されたように男性用機能性無縫製パンツ８００において、
男性の陰茎１０と陰嚢２０が各々分離するように前面部の陰茎１０位置部分に形成された陰茎開口部２００と、陰茎開口部２００の下端部に形成される無縫製分離膜８１０と、無縫製分離膜８１０下端部の陰嚢２０位置部分に形成される陰嚢開口部２１０を一つの生地に含む男性用機能性無縫製パンツ８００、
また、男性用機能性無縫製パンツ８００は、陰嚢２０が分離するように前面部の陰嚢２０位置部分に陰嚢開口部２１０が一つの生地に形成されることを特徴とする男性用機能性無縫製パンツ。
【００７０】
また、陰茎開口部２００と陰嚢開口部２１０前面の結合部１９０に結合され、陰茎開口部２００と陰嚢開口部２１０で分離された陰茎１０と陰嚢２０が収納されるように、上端部分に丸い形態の第１湾曲部１６１が形成され、中間部分に丸い形態の第２湾曲部１６２が形成されて、下端部分は袋形態に形成された第３湾曲部１６３が互いにつながっていて、一つの袋の形が一つの生地に形成された無縫製収納部材８２０をさらに含む男性用機能性無縫製パンツ８００である。
【００７１】
このように男性用機能性無縫製パンツ８００は、パンツを生地に直接編織しながら陰茎開口部２００と陰嚢開口部２１０の間に無縫製分離膜８１０が形成されるため、他の実施例の機能性パンツ１００の分離膜１７０と異なる符号を使用し、他の実施例の収納部材３３０と異なって無縫製収納部材８２０も生地に直接編織しながら、第１、第２、第３湾曲部１６１、１６２、１６３が一つの生地に形成されるため異なる符号を使用した。
【００７２】
互いに異なる実施例で似ている機能と用語であるが、構成が変形されたら異なる符号を使用した。
【００７３】
本発明の望ましい第１、第２、第３実施例を詳察すれば、収納部材３３０の形と形状は、切断部２０３の位置と曲率値によって多様に変化することができるためその形を限定しないが、陰茎と陰嚢を含んで共に収納することができれば十分である。
【００７４】
このように、収納部材３３０が第１湾曲部１６１、第２湾曲部１６２、第３湾曲部１６３をなすのは、陰茎１０と陰嚢２０が収納部に挿入されるとき強制手段によらずに自然に挿入されるようにするためのもので、収納部が陰茎１０と陰嚢２０の嵩より大きい他の理由は、足の動きに伴って収納部材３３０内に収納されている陰茎１０と陰嚢２０も共に動くが、この動きに伴って収納部材３３０も共に動くため、ズボン内の収納部材３３０付近に小気象を発生させて小さな風を起こす作用をするためのものである。
【００７５】
これにより小さな空気の流動があり、その空気の流動によって通気性が生じれば、このような作用によって陰嚢２０付近と股付近の高い温度が下がって湿気が空気の流動によって除去されることができる。
【００７６】
このように収納部材３３０の形と形態は多くのデザインによって異なる形と大きさに生成されることができる。
【００７７】
中間部材１４１を詳察すれば、中間部材１４１の幅は収納部材３３０の幅より少し小さいが、これは表にある収納部材３３０によって結合部１９０に結合される際、中間部材１４１がしわになって陰茎１０の収納部挿入時の妨害現象を防止するためのものである。
【００７８】
中間部材１４１は、上部にのみ切断部２０３による対称線３０１が１ヶ所のみあるが、これは収納部材３３０の上部の内側に挿入されて上部にボリューム感を与え、パンツを履くとき、陰茎１０が陰茎開口部２００を通過した後に収納される過程で、収納部材３３０や中間部材１４１に引っかからずに通過が容易なようにするためのものであり、第２裏地部材５００と長さが同じで第１実施例の裏地部材１４０よりは短い。
【００７９】
裏地部材１４０は、陰茎１０と陰嚢２０を身体と分離するためのもので、中央近所に丸みある三角形の陰茎開口部２００のみを形成することができ、その下端に分離膜１７０まで形成することができ、その下端に陰嚢開口部２１０まで形成することもできる。
【００８０】
裏地部材１４０に生成された陰茎開口部２００、分離膜１７０、陰嚢開口部２１０の役割は、陰茎と陰嚢の重なる部分１１、１２を重ならないように互いに分離させ、陰茎開口部２００と陰嚢開口部２１０によって左・右の股とももから分離させる望ましい役割をすると共に、陰茎と陰嚢の重なる部分１１、１２から出る汗を陰茎と陰嚢の重なる部分１１、１２がすぐ吸収して蒸発させてやることにより快適な着用感を感じさせるところにある。
【００８１】
本発明の望ましい構成要素と作用を詳察した。
この構成要素を土台に、その各々の機能による作用を具体的に詳察する。
【００８２】
裏地部材１４０の陰茎開口部２００の下にある分離膜１７０の上端の位置は、陰茎１０が収縮して下に下がっているとき、体と陰茎と重なる部分１１に楽に異物質感がない位置であり、分離膜１７０の下端部が陰嚢２０の中間部分に軽くかかっていることが望ましい。
【００８３】
また、陰嚢開口部２１０下端の陰嚢が重なる部分１２は、陰嚢２０が収縮しているとき、陰嚢２０と股に異物質感なく隔離される自然な位置にあることが望ましい。
【００８４】
陰茎と陰嚢の重なる部分１１、１２が上にぴったりと引っ張られていれば、最初は快適な感じがするが、時間が経つと非常に窮屈で血液循環がなされず不快感があるため、望ましい状態は重なる部分がぴったりと引っ張られておらず、ゆったりと触れている感覚のみある自然な状態であってこそ、自然な快適さを感じることができる。
【００８５】
本発明の収納部材３３０は、陰茎収納部３００と陰嚢収納部３１０が別に隔離されておらず袋形態で、一つの収納部材３３０に中に陰茎１０と陰嚢２０が収納されることにより、重力から人体が楽さを感じることができる特徴がある。
【００８６】
裏地部材１４０に形成されている陰茎開口部２００や陰嚢開口部２１０の形と大きさは、多様に裁断が可能である。実施例によれば陰茎開口部２００の形は三角形、縦の楕円形で、大きさも多様な大きさへの変形が可能であり、陰嚢開口部２１０の形も、横の長方形、楕円形、円形等への変形が可能だが、逆さまの台形、長方形、横の楕円形や三日月形が望ましい。
【００８７】
陰茎開口部２００の形は、三角形や縦になった楕円形が陰茎に重なる部分１１の伸び（垂れ）が少なくて望ましい。以上の構成によって生成された本発明の男性用機能性パンツ１００は、裏地部材１４０、第２裏地部材５００または機能性無縫製パンツ８００の前面部に形成された開口部２００、２１０の形を限定しない。
【００８８】
着用時、陰茎１０と陰嚢２０は、膨脹や収縮時または激しい運動、登山などの動きが多い動作にもかかわらず独立的な各々の開口部２００、２１０と分離膜１７０、８１０によって分離しており、陰茎１０が下に収縮しても分離膜１７０によって陰嚢２０との接触が予防され、収納部材３３０によって陰嚢２０と股とももとも完壁に分離され、収納部材３３０の大きさも十分に大きくて、各種スポーツやどんな行動にも足の動きによって収納部材３３０も共に動くため小さな風を起こして十分な通気性が確保されるため、汗と湿気と高い温度から陰茎１０と陰嚢２０を保護することができる。
【００８９】
これにより従来の技術は陰茎１０と陰嚢２０が股やももからの分離にのみ焦点が合わせられている、パンツが陰茎１０と陰嚢２０をぴったりと圧迫する形態の技術であり、体温の熱伝導率を無視してある一部分の温度は下げることができるが、他の部分で熱伝導によって温度が上がるため熱量の総合はむしろ高くなることがあり得る。
【００９０】
人体工学的な側面から解釈してデザインした本発明の男性用機能性パンツは、陰茎１０と陰嚢２０の総熱量を下げ、履きながら容易に自ら分離し、履いてしまえば同時に収納され、足の動きによって小さな風を起こして通気性が優れたパンツを提供する。
【００９１】
このように独特の構成を有する男性用機能性パンツは、従来技術と顕著に異なる作用と効果を提供し、着用感を向上させると共に、陰嚢２０を高温の体温から保護する役割をすることにより、種のない精子の危険性を事前に予防することができる特徴がある、男性用機能性パンツを提供する。
【００９２】
このように本発明の第１実施例や本発明の第２実施例または第３実施例よれば、従来の技術に比べて互いに顕著に異なる独特の構成要素によって、陰茎１０と陰嚢２０の分離がパンツを履きながら自らなされ、パンツを履いてしまえば収納が自然と完成される独特の特徴を有するようになる。
【００９３】
このような特徴は、高級生地の使用による原価上層を予防し、人体との完璧な分離をなして身体接触部位の不快感を最小化し、これにより人体は最も快適な着用感を感じることができ、またパンツの生産性を高めることができる特徴がある。
【００９４】
ここで本発明の利点と特徴そしてそれらを達成する上記の方法と機能の核心的技術構成は、開示される第１実施例と第２実施例、第３実施例、変形された実施例に限定させたものではなく、互いに異なる多様な方法と裁断によって多様な形態で修正及び変形が可能なものである。
【００９５】
したがって本発明の実施例は、本発明が属する技術分野で通常の知識を有する者に発明の特徴による技術思想を限定するためではなく完全に知らせるために提供されるものである。
【００９６】
ゆえに、本発明の保護範囲は請求の範囲によって解釈されなければならず、これと類似の範囲と概念により導出される全ての技術思想は、本発明の権利範囲に含まれるものと解釈されるべきものである。
【符号の説明】
【００９７】
１０        陰茎
１００      男性用機能性パンツ
１１        部分
１１０      後面部材
１２０      前面部材
１３０      裁縫線
１４０      裏地部材
１４１      中間部材
１４２      下面部材
１５１      ひだ部
１５２      ひだ部
１５３      ひだ部
１６１      第１湾曲部
１６２      第２湾曲部
１６３      第３湾曲部
１７０      分離膜
１９０      結合部
２０        陰嚢
２００      陰茎開口部
２０１      第１切断部
２０２      第２切断部
２０３      左・右切断部
２１０      陰嚢開口部
３００      陰茎収納部
３０１      対称線
３１０      陰嚢収納部
３３０      収納部材
５００      第２裏地部材
８００      男性用機能性無縫製パンツ
８１０      無縫製分離膜
【図１】
0006372667.tif 000002
【図２】
0006372667.tif 000003
【図３（Ａ）】
0006372667.tif 000004
【図３（Ｂ）】
0006372667.tif 000005
【図４】
0006372667.tif 000006
【図５】
0006372667.tif 000007
【図６】
0006372667.tif 000008
【図７】
0006372667.tif 000009
【図８（Ａ）】
0006372667.tif 000010
【図８（Ｂ）】
0006372667.tif 000011
【図９】
0006372667.tif 000012
【図１０】
0006372667.tif 000013
【図１１（Ａ）】
0006372667.tif 000014
【図１１（Ｂ）】
0006372667.tif 000015
【図１２（Ａ）】
0006372667.tif 000016
【図１２（Ｂ）】
0006372667.tif 000017
【図１３（Ａ）】
0006372667.tif 000018
【図１３（Ｂ）】
0006372667.tif 000019
【図１４】
0006372667.tif 000020